(57)【特許請求の範囲】
【請求項１】
レセプタクルコネクタ（１０２）を中に受容するように構成された空洞（１３６）を有するヘッダハウジング（１３０）を有するヘッダコネクタ（１０４）であり、前記ヘッダハウジング（１３０）が偏向可能な少なくとも１つのカートリッジラッチ（２００）を前記ヘッダハウジング（１３０）の表面に有する、ヘッダコネクタ（１０４）と、
前記空洞（１３６）に受容され、前記少なくとも１つのカートリッジラッチ（２００）との係合によって前記ヘッダハウジング（１３０）にロックされる信号ヘッダカートリッジ（１３２）であり、前記信号ヘッダカートリッジ（１３２）が、嵌合部分（３０６）と装着部分（３０８）との間を延びる複数の信号コンタクト（１４２）を有し、前記嵌合部分（３０６）が、前記信号ヘッダカートリッジ（１３２）から前記空洞（１３６）中に延び、分離可能な嵌合インタフェースを定める、信号ヘッダカートリッジ（１３２）と、
前記空洞（１３６）に受容され、前記少なくとも１つのカートリッジラッチ（２００）との係合によって前記ヘッダハウジング（１３０）にロックされる電力ヘッダカートリッジ（１３４）であり、前記電力ヘッダカートリッジ（１３４）が、嵌合部分（４０６）と装着部分（４０８）との間を延びる複数の電力コンタクト（１４４）を有し、前記嵌合部分（４０６）が、前記電力ヘッダカートリッジ（１３４）から前記空洞（１３６）中に延び、分離可能な嵌合インタフェースを定める、電力ヘッダカートリッジ（１３４）と、
を備えるとともに、
前記ヘッダハウジング（１３０）は、前記レセプタクルコネクタ（１０２）が前記ヘッダハウジング（１３０）の前記空洞（１３６）内に位置し、前記空洞（１３６）内に保持されることが可能なように構成されており、かつ、
前記少なくとも１つのカートリッジラッチ（２００）は、前記信号ヘッダカートリッジ（１３２）および／または前記電力ヘッダカートリッジ（１３４）を前記ヘッダハウジング（１３０）から取り外すために、偏向可能に構成されている、
ヘッダアセンブリ（１０６）。
【請求項２】
前記信号ヘッダカートリッジ（１３２）が、前記少なくとも１つのカートリッジラッチ（２００）を受け取るポケット（３２０）を含み、
前記電力ヘッダカートリッジ（１３４）が、前記少なくとも１つのカートリッジラッチ（２００）を受容するポケット（４２０）を含む、
請求項１に記載のヘッダアセンブリ（１０６）。
【請求項３】
前記信号ヘッダカートリッジ（１３２）が、前記信号コンタクト（１４２）を保持する誘電体フレーム（３０２）を含み、
前記信号ヘッダカートリッジ（１３２）の前記誘電体フレーム（３０２）が第１の底縁部（３１４）を有し、前記信号コンタクト（１４２）の前記装着部分（３０８）が前記第１の底縁部（３１４）から延び、
前記信号ヘッダカートリッジ（１３２）の前記誘電体フレーム（３０２）が、前記少なくとも１つのカートリッジラッチ（２００）を受容する前記第１の底縁部（３１４）に沿ったポケット（３２０）を含み、
前記電力ヘッダカートリッジ（１３４）が、前記電力コンタクト（１４４）を保持する誘電体フレーム（４０２）を含み、
前記電力ヘッダカートリッジ（１３４）の前記誘電体フレーム（４０２）が第２の底縁部（４１４）を有し、前記電力コンタクト（１４４）の前記装着部分（４０８）が前記第２の底縁部（４１４）から延び、
前記電力ヘッダカートリッジ（１３４）の前記誘電体フレーム（４０２）が、前記少なくとも１つのカートリッジラッチ（２００）を受容する前記第２の底縁部（４１４）に沿ったポケット（４２０）を含む、
請求項１に記載のヘッダアセンブリ（１０６）。
【請求項４】
前記信号コンタクト（１４２）の前記装着部分（３０８）が、前記第１の底縁部（３１４）から延びるコンプライアントピンを含み、
前記コンプライアントピンは、回路基板（１０８）における対応するめっき済みビアにプレス嵌めされるように構成されている、
請求項３に記載のヘッダアセンブリ（１０６）。
【請求項５】
前記少なくとも１つのカートリッジラッチ（２００）が、前記信号ヘッダカートリッジ（１３２）を前記ヘッダハウジング（１３０）から取り外すために、偏向可能であり、前記信号ヘッダカートリッジ（１３２）から解放可能である、
請求項１に記載のヘッダアセンブリ（１０６）。
【請求項６】
前記少なくとも第１のカートリッジラッチ（２００）が、第１のカートリッジラッチと、前記第１のカートリッジラッチから独立した第２のカートリッジラッチとを含み、
前記第１のカートリッジラッチが前記信号ヘッダカートリッジ（１３２）に係合し、前記第２のカートリッジラッチが前記電力ヘッダカートリッジ（１３４）に係合する、
請求項１に記載のヘッダアセンブリ（１０６）。
【請求項７】
前記ヘッダハウジング（１３０）が、前記空洞（１３６）の上部に沿って複数のガイドチャネル（１６２、１６４）を含み、
前記信号ヘッダカートリッジ（１３２）が、誘電体フレーム（３０２）の上縁部（３１８）に沿って第１のレール（３３４）を有する誘電体フレーム（３０２）を含み、
前記電力ヘッダカートリッジ（１３４）が、誘電体フレーム（４０２）の上縁部（４１８）に沿って第２のレール（４３４）を有する誘電体フレーム（４０２）を含み、
前記第１のレール（３３４）および前記第２のレール（４３４）が、前記信号ヘッダカートリッジ（１３２）に対して前記電力ヘッダカートリッジ（１３４）を位置決めするために、対応する前記ガイドチャネル（１６２、１６４）に受容される、
請求項１に記載のヘッダアセンブリ（１０６）。
【請求項８】
前記少なくとも１つのカートリッジラッチ（２００）が、前記ガイドチャネル（１６２、１６４）の反対側の前記ヘッダハウジング（１３０）の底部（１７４）に設けられ、
前記ガイドチャネル（１６２、１６４）が、前記信号ヘッダカートリッジ（１３２）および前記電力ヘッダカートリッジ（１３４）の側方位置を保持し、
前記少なくとも１つのカートリッジラッチ（２００）が、前記信号ヘッダカートリッジ（１３２）および前記電力ヘッダカートリッジ（１３４）の前後位置を保持する、
請求項７に記載のヘッダアセンブリ（１０６）。
【発明の詳細な説明】
【技術分野】
【０００１】
本明細書の主題は、一般に、電力カートリッジと信号カートリッジとを有するヘッダアセンブリに関する。
【背景技術】
【０００２】
自動車用コネクタシステムは、電力およびデータ信号の両方を伝えるためにヘッダコネクタを利用する。既存のヘッダコネクタ設計では、組立作業でブレードを綴じて曲げるための組立ステーションに関係して、打ち抜きブレードが利用される。
【発明の概要】
【発明が解決しようとする課題】
【０００３】
ブレードの数またはタイプが増加するにつれて、設備投資が増加し、組立速度（ａｓｓｅｍｂｌｙ  ｒａｔｅ）が減少する。既存の自動車用ヘッダ設計に関する別の問題は、コンプライアントピン（compliant pins）の使用が極めて困難であることである。例えば、回路基板に装着するためのコンプライアントピンの真位置のばらつきなどのアセンブリのばらつきのために、ヘッダコネクタを回路基板に装着する際に問題が生じる。
【課題を解決するための手段】
【０００４】
解決策が、本明細書で説明されるようなヘッダコネクタによって提供される。ヘッダアセンブリは、レセプタクルコネクタを中に受容するように構成された空洞を有するヘッダハウジングを含む。ヘッダハウジングは、チャンバに少なくとも１つのカートリッジラッチを有する。信号ヘッダカートリッジは、空洞に受容され、少なくとも１つのカートリッジラッチによってヘッダハウジングにロックされる。信号ヘッダカートリッジは、嵌合部分（ｍａｔｉｎｇ  ｐｏｒｔｉｏｎ）と装着部分の間を延びる複数の信号コンタクトを有する。嵌合部分は、信号ヘッダカートリッジから空洞中に延び、分離可能な嵌合インタフェースを定める。電力ヘッダカートリッジは、空洞に受け取られ、少なくとも１つのカートリッジラッチによってヘッダハウジングにロックされる。電力ヘッダカートリッジは、嵌合部分と装着部分との間を延びる複数の電力コンタクトを有する。嵌合部分は、電力ヘッダカートリッジから空洞中に延び、分離可能な嵌合インタフェースを定める。  次に、添付図面を参照して、本発明を例として説明する。
【図面の簡単な説明】
【０００５】
【図１】例示的な実施形態により形成されたコネクタシステムを示す図であり、レセプタクルコネクタがヘッダアセンブリの対応するヘッダコネクタに結合されていることを示している。
【図２】例示的な実施形態により形成されたヘッダコネクタの分解正面図である。
【図３】ヘッダコネクタの分解背面図である。
【図４】組み付け状態でのヘッダコネクタの前面斜視図である。
【図５】ヘッダカートリッジをヘッダハウジング中に装填した組み付け状態でのヘッダコネクタの背面斜視図である。
【図６】ヘッダカートリッジをヘッダハウジング中に装填した組み付け状態でのヘッダコネクタの背面斜視図である。
【図７】一緒に結合された第１および第２のヘッダハウジングを示す図である。
【図８】信号ヘッダカートリッジのためのリードフレームを示す図である。
【図９】例示的な実施形態により形成された信号ヘッダカートリッジの側面図である。
【図１０】一緒に積み重ねられた１対の信号ヘッダカートリッジを示す図である。
【図１１】１対の信号ヘッダカートリッジの正面図である。
【図１２】電力ヘッダカートリッジのためのリードフレームを示す図である。
【図１３】例示的な実施形態により形成された電力ヘッダカートリッジの斜視図である。
【図１４】例示的な実施形態により形成された電力ヘッダカートリッジを示す図である。
【図１５】例示的な実施形態により形成された電力ヘッダカートリッジを示す図である。
【図１６】例示的な実施形態により形成されたヘッダコネクタを示す図である。
【発明を実施するための形態】
【０００６】
本明細書で説明する実施形態は、直角基板装着ヘッダコネクタを有するコネクタシステムを含む。ヘッダコネクタは、それぞれ、電力およびデータ信号を送出するための電力インタフェースおよび信号インタフェースの両方を有する。本明細書で説明する実施形態は直角コネクタに関して記述されているが、実施形態は任意の好適なコネクタで使用できることに留意すべきである。
【０００７】
本明細書で説明する実施形態は、ヘッダコネクタのモジュール設計を可能にするフィーチャを有する。ヘッダコネクタは、ヘッダコネクタのインタフェースを変更するために、ヘッダコネクタ内で交換できるカートリッジを含む。カートリッジは、専用信号カートリッジおよび専用電力カートリッジとすることができる。ヘッダコネクタの通電容量は、電力カートリッジを、異なる通電容量を有する電力カートリッジと取り替えることによって変更することができる。
本明細書で説明する実施形態は、カートリッジをヘッダハウジングに留めるためのフィーチャを有する。本明細書で説明する実施形態は、ヘッダハウジング内の所定の位置にカートリッジを案内するフィーチャを有する。本明細書で説明する実施形態は、多数のヘッダハウジングを一緒にユニットとして連結または接合して、回路基板にユニットとして装着できるようにするフィーチャを備える。
【０００８】
図１は、例示的な実施形態により形成されたコネクタシステム１００を示しており、レセプタクルコネクタ１０２がヘッダアセンブリ１０６の対応するヘッダコネクタ１０４に結合されていることを示している。ヘッダアセンブリ１０６は、任意の数のヘッダコネクタ１０４を含むことができる。図１には１つのレセプタクルコネクタ１０２しか示されていないが、各ヘッダコネクタ１０４は、対応するレセプタクルコネクタ１０２と嵌合するように構成される。レセプタクルコネクタ１０２は、複数のケーブルをもつケーブルコネクタ（図１には１つだけ示されている）とすることができ、ケーブルコネクタから延びる複数のケーブルは、対応するレセプタクルコンタクト（図示せず）に終端される。代替として、レセプタクルコネクタ１０２は、レセプタクコンタクトのピンまたはテールを回路基板に終端させることなどよって回路基板（図示せず）に終端させることができる。ヘッダアセンブリ１０６は、回路基板１０８に装着されるが、しかしながら、代替として、ケーブルの端部に終端されたケーブルコネクタとすることができる。
例示的な実施形態では、各ヘッダコネクタ１０４は、ヘッダアセンブリ１０６のヘッダコンタクト１１０を回路基板１０８の対応するめっき済みビア（図示せず）中にプレス嵌めすること、または回路基板１０８にはんだ付けすることなどによって回路基板１０８に終端される。任意選択で、ヘッダコネクタ１０４は、一緒に結合させ、次に、回路基板１０８に一緒にユニットとして終端させることができる。代替として、ヘッダコネクタ１０４は、回路基板１０８に個別に終端させることができる。
【０００９】
図２は、例示的な実施形態により形成されたヘッダコネクタ１０４の分解正面図である。図３は、ヘッダコネクタ１０４の分解背面図である。ヘッダコネクタ１０４は、ヘッダハウジング１３０と、複数のヘッダカートリッジ１３２、１３４とを含む。ヘッダカートリッジ１３２、１３４は、複数のヘッダコンタクト１１０を保持し、複数のヘッダコンタクト１１０は、より詳細には、レセプタクルコネクタ１０２（図１に示した）を用いて、それぞれ、データ信号および電力を送出するためのヘッダ信号コンタクト１４２およびヘッダ電力コンタクト１４４として識別される。信号コンタクト１４２および電力コンタクト１４４に加えて、接地コンタクト（図示せず）などの他のタイプのヘッダコンタクト１１０を使用することができる。
任意選択で、電力コンタクト１４４の各々は、電力ヘッダカートリッジ１３４とも呼ばれる共通ヘッダカートリッジ１３４に一緒に保持することができる。信号コンタクト１４２は、専用信号ヘッダカートリッジに保持することができ、専用信号ヘッダカートリッジは、以下、信号ヘッダカートリッジ１３２と呼ぶことがある。代替として、ヘッダカートリッジ１３２および／または１３４のいずれも信号コンタクト１４２および電力コンタクト１４４の両方または他のタイプのコンタクトを有することができる。
【００１０】
ヘッダハウジング１３０は、レセプタクルコネクタ１０２を受容するために、ヘッダハウジング１３０の前部１３８に開けられた空洞１３６を有する。空洞１３６は、ヘッダカートリッジ１３２、１３４を受容するためにヘッダハウジング１３０の後部１４０に開けられている。特定用途に応じて、任意の数の信号ヘッダカートリッジ１３２をヘッダハウジング１３０に装填することができる。本明細書に示す実施形態は単一の電力ヘッダカートリッジ１３４を示しているが、特定用途に応じて、任意の数の電力ヘッダカートリッジ１３４をヘッダハウジング１３０に装填することができる。ヘッダ電力コンタクト１４４およびヘッダ信号コンタクト１４２が共通ヘッダハウジング１３０によって保持されると、ヘッダ電力コンタクト１４４およびヘッダ信号コンタクト１４２の両方は、レセプタクルコネクタ１０２への共通嵌合プロセスの間に嵌合できるようになる。ヘッダ電力コンタクト１４４およびヘッダ信号コンタクト１４２が共通ヘッダハウジング１３０によって保持されると、ヘッダ電力コンタクト１４４およびヘッダ信号コンタクト１４２を、共通組立ステップの間に回路基板１０８（図１に示した）に同時に装着できるようになる。
【００１１】
例示的な実施形態では、ヘッダハウジング１３０は、レセプタクルコネクタ１０２との位置合せおよび嵌合を案内するために使用されるガイドフィーチャ１５０を含む。図示の実施形態では、ガイドフィーチャ１５０は、前部１３８の近くでまたは前部１３８のところで空洞１３６中に延びるリブまたは突起部によって定められる。ガイドフィーチャ１５０の数および／またはガイドフィーチャ１５０の場所は、対応するレセプタクルコネクタ１０２とのキー型嵌合（ｋｅｙｅｄ  ｍａｔｉｎｇ）のためのキー式フィーチャを設定することができる。例えば、１つのタイプのレセプタクルコネクタ１０２のみを、ガイドフィーチャ１５０の位置に基づいて空洞１３６で受け取ることができる。特定のヘッダコネクタ１０４と嵌合する必要がある、異なるタイプのレセプタクルコネクタ１０２に対応する異なる数の電力コンタクト１４４および／または信号コンタクト１４２が使用される場合などに、ガイドフィーチャ１５０の位置を異ならせてもよい。
【００１２】
ヘッダハウジング１３０は、空洞１３６にレセプタクルコネクタ１０２を固定するために使用されるレセプタクルラッチ１５４を前部１３８に含む。レセプタクルラッチ１５４は、レセプタクルコネクタ１０２を空洞１３６から解放できるように偏向可能に解放可能とすることができる。代替として、レセプタクルコネクタ１０２は、レセプタクルコネクタ１０２をヘッダコネクタ１０４に固定するために、偏向可能なラッチまたは他のタイプのラッチを含むことができる。任意のタイプのラッチを様々な場所で使用して、レセプタクルコネクタ１０２をヘッダハウジング１３０に留めることができる。
【００１３】
例示的な実施形態では、ヘッダハウジング１３０は、後部１４０に隣接するなどの空洞１３６中の分離壁１５６（図３に示す）を含む。分離壁１５６は、空洞１３６を、１つまたは複数の信号カートリッジスロット１５８および１つまたは複数の電力カートリッジスロット１６０に分割する。信号カートリッジスロット１５８は、対応する信号ヘッダカートリッジ１３２を受容する。電力カートリッジスロット１６０は、対応する電力ヘッダカートリッジ１３４を受容する。
例示的な実施形態では、ヘッダハウジング１３０は、信号カートリッジスロット１５８中の１つまたは複数のガイドチャネル１６２と、電力カートリッジスロット１６０中の１つまたは複数のガイドチャネル１６４とを含む。ガイドチャネル１６２は、空洞１３６の上部に沿って設けられ、信号ヘッダカートリッジ１３２の対応するガイドフィーチャを受け取る。ガイドチャネル１６４は、空洞１３６の上部に沿って設けられ、電力ヘッダカートリッジ１３４の対応するガイドフィーチャを受容する。ガイドチャネル１６２、１６４は、ヘッダカートリッジ１３２、１３４を互いに対して位置決めする。ガイドチャネル１６２、１６４は、ヘッダカートリッジ１３２、１３４の側方位置を保持することができる。任意選択で、ガイドチャネル１６２、１６４は、ダブテール形状を有することができる。
【００１４】
ヘッダハウジング１３０は、空洞１３６内に中壁１６５（図４によりよく示されている）を含む。中壁１６５は、側壁から側壁まで延び、前部１３８および後部１４０と平行にすることができる。中壁１６５は、前部１３８と後部１４０との間に位置づけられる。中壁１６５は、前部１３８と後部１４０との間のほぼ中央に置くことができる。中壁１６５は、空洞１３６を、前部空洞１６６（図２および図４に示す）と後部空洞１６８（図３に示す）とに分割する。レセプタクルコネクタ１０２は、前部空洞１６６で受容されるように構成される。ヘッダカートリッジ１３２、１３４は、後部空洞１６８で受容されるように構成される。
【００１５】
ヘッダハウジング１３０は、ヘッダハウジング１３０の外側と、空洞１３６などのヘッダハウジング１３０の一部分の内面とを画定する複数の壁１７０を有する。例示的な実施形態では、ヘッダハウジング１３０は、ヘッダハウジング１３０の上部１７２、底部１７４、第１の側面１７６、および第２の側面１７８を画定する壁１７０を含む。任意選択で、ヘッダハウジング１３０は、一般に、形状を長方形とすることができるが、しかしながら、代替の実施形態では他の形状が可能である。壁１７０は、レセプタクルコネクタ１０２を受容する一般に長方形の空洞１３６を画定することができる。
【００１６】
分離壁１５６は、一般に、第１の側面１７６および第２の側面１７８と平行に向きを定められ、第１の側面１７６と第２の側面１７８との間に位置づけられる。電力カートリッジスロット１６０は、分離壁１５６と第１の側面１７６との間に画定される。信号カートリッジスロット１５８は、分離壁１５６と第２の側面１７８との間に画定される。電力ヘッダカートリッジ１３４が電力カートリッジスロット１６０に装填されるとき、電力ヘッダカートリッジ１３４は、電力ヘッダカートリッジ１３４を保持するなどのために、分離壁１５６および／または第１の側面１７６に係合することができる。ガイドチャネル１６４は、電力ヘッダカートリッジ１３４を固定することができる。
【００１７】
図４は、組み付け状態でのヘッダコネクタ１０４の前面斜視図である。図４は、前部空洞１６６中に延びる信号コンタクト１４２および電力コンタクト１４４を示す。例示的な実施形態では、ヘッダハウジング１３０は、中壁１６５の前方で前部空洞１６６中に延びるプラットフォーム１８０を含むことができる。プラットフォーム１８０は、レセプタクルコネクタ１０２における対応するレセプタクルをヘッダコンタクト１１０に位置合せすることなどのために、空洞１３６内でレセプタクルコネクタ１０２を位置決めするのに使用することができる。プラットフォーム１８０は、レセプタクルコネクタ１０２が、ヘッダコンタクト１１０と嵌合する前に、空洞１３６内で確実に位置合せされるようにヘッダコンタクト１１０の前方端部を越えて延びることができる。そのような構成によってヘッダコンタクト１１０への損傷を避けることができる。
【００１８】
中壁１６５は、それを通る複数の信号コンタクト開口１８２を含む。信号コンタクト１４２は、対応する信号コンタクト開口１８２を通り抜けて前部空洞１６６に入る。信号コンタクト開口１８２は、レセプタクルコネクタ１０２と嵌合するために信号コンタクト１４２を互いに対しておよび前部空洞１６６に対して所定の場所に支持することなどによって信号コンタクト１４２を位置決めするために、使用することができる。
【００１９】
中壁１６５は、それを通る電力コンタクト開口１８４を含み、電力コンタクト開口１８４は電力コンタクト１４４を受容する。任意選択で、電力コンタクト開口１８４は、電力コンタクト１４４の各々を受容する細長いスロットである。細長い電力コンタクト開口１８４は、電力コンタクト１４４の場所（例えば、垂直位置）に関係なく電力コンタクト１４４を受容することができる。電力コンタクト開口１８４は、電力コンタクト１４４のサイズおよび位置に関係なく、対応する電力コンタクト１４４の各々を受容するように構成される。したがって、異なるタイプの電力ヘッダカートリッジ１３４が使用され、各々が電力コンタクト１４４の異なる構成（例えば、数、サイズ、位置）を有する場合、電力コンタクト開口１８４は、異なるタイプの電力ヘッダカートリッジ１３４のいずれも収容することができる。以下でさらに説明するように、同じヘッダハウジング１３０は、それぞれ、相対的に低い、中間の、および高い通電容量を有する低電力カートリッジ、中間電力カートリッジ、または高電力カートリッジなどの異なるタイプの電力ヘッダカートリッジ１３４を収容することができる。
【００２０】
図５および図６は、ヘッダカートリッジ１３２、１３４をヘッダハウジング１３０中に装填した組み付け状態でのヘッダコネクタ１０４の背面斜視図である。ヘッダハウジング１３０は、１つまたは複数のカートリッジラッチ２００（図５に示す）を含み、１つまたは複数のカートリッジラッチ２００は、ヘッダカートリッジ１３２、１３４を空洞１３６にロックするために使用される。カートリッジラッチ２００は、信号ヘッダカートリッジ１３２および電力ヘッダカートリッジ１３４の前後位置を保持する。任意選択で、カートリッジラッチ２００は、後部空洞１６８において底部１７４に沿って設けることができる。カートリッジラッチ２００は、ヘッダカートリッジ１３２、１３４をヘッダハウジング１３０から解放するために偏向可能とすることができる。単一のカートリッジラッチ２００が図５に示されているが、しかしながら、代替実施形態では、多数のカートリッジラッチ２００を使用することができる。例えば、第１のカートリッジラッチは信号ヘッダカートリッジ１３２のうちの１つまたは複数に係合することができ、第２のカートリッジラッチは電力ヘッダカートリッジ１３４に係合することができる。
【００２１】
ヘッダコネクタ１０４は、ヘッダハウジング１３０の第１の側面１７６および第２の側面１７８に沿ってハウジングロック２０２、２０４（それぞれ、図５および図６に示す）を含む。ハウジングロック２０２、２０４は、ヘッダアセンブリ１０６（図１に示した）内の隣接するヘッダコネクタ１０４にヘッダハウジング１３０をロックするために使用される。ハウジングロック２０２、２０４により、ヘッダコネクタ１０４は、一緒に積み重ねて固定できるようなり、その結果、ヘッダアセンブリ１０６は、ユニットとして回路基板１０８（図１に示した）に結合することができる。
【００２２】
ハウジングロック２０２は、ヘッダコネクタ１０４を一緒にロックするために隣接するヘッダコネクタ１０４のハウジングロック２０４と相互作用するように構成される。ハウジングロック２０２は、側面１７６に形成されたポケット２０６と、ポケット２０６中のラッチ２０８とを含む。ポケット２０６は、ポケット２０６の両側に第１のチャネルまたはレール２１０および第２のチャネルまたはレール２１２を含む。任意選択で、レール２１０、２１２は互いに交差するように角度をつけることができる。例えば、レール２１０、２１２は、ポケット２０６のサイズを減少させるように互いの方に内側に角度をつけることができる。図示の実施形態では、ポケット２０６は後部１４０のところで開いている。ポケット２０６は、後部１４０でより広く、ポケット２０６の前部でより狭い。ラッチ２０８は、前向き（ｆｒｏｎｔ  ｆａｃｉｎｇ）である受止面２１４を含む。ラッチ２０８は、受止面２１４の後方に傾斜面２１６を有することができる。任意選択で、ラッチ２０８は偏向可能とすることができる。
【００２３】
ハウジングロック２０４は、ヘッダコネクタ１０４を一緒にロックするために隣接するヘッダコネクタ１０４のハウジングロック２０２と相互作用するように構成される。ハウジングロック２０４は、ラッチ２０８にラッチ可能に結合するように構成されたラッチ２１８を含む。図示の実施形態では、ラッチ２１８は偏向可能である。ハウジングロック２０４は、側面１７８から外側に延びる第１のタブ２２０および第２のタブ２２２を含む。任意選択で、タブ２２０、２２２は、レール２１０、２１２に対する余角で互いに交差するように角度をつけることができる。タブ２２０、２２２は、対応するレール２１０、２１２に受容されるように構成される。
【００２４】
ヘッダアセンブリ１０６の組立中に、ハウジングロック２０４は、ハウジングロック２０２の後部から、隣接するヘッダコネクタ１０４のハウジングロック２０２中に装填される。したがって、ヘッダコネクタ１０４は、前方方向に前方装填されるかまたは前方ロックされる。タブ２２０、２２２は、対応するハウジングロック２０２のポケット２０６中に装填される。タブ２２０、２２２は、ヘッダハウジング１３０を位置合せするために対応するハウジングロック２０２のレール２１０、２１２に係合する。ラッチ２１８は、ヘッダコネクタ１０４を一緒にロックするために対応するハウジングロック２０２のラッチ２０８に係合する。ラッチ２１８は受止面２２４を含む。受止面２２４は、ヘッダコネクタ１０４を一緒にロックするために、隣接するヘッダコネクタ１０４の受止面２１４に係合するように構成される。ラッチ２１８は、受止面２２４につながる傾斜面２２６を有することができる。ヘッダコネクタ１０４をロックする間に、傾斜面２２６は、傾斜面２１６に沿って乗って行き、ラッチ２１８を曲げることができる。
【００２５】
図７は、一緒に結合された第１および第２のヘッダハウジング１３０を示す。図７に示したヘッダハウジング１３０は、ヘッダハウジング１３０を一緒に固定するためにハウジングロック２０２、２０４を含む。図７に示した実施形態のハウジングロック２０２、２０４は、水平（図５および図６に示したような）とは対照的に垂直に向けられている。ハウジングロック２０２は、上部１７２のところで開いている。嵌合の間に、ハウジングロック２０４は、隣接するヘッダコネクタ１０４のハウジングロック２０２のポケット２０６（図５によりよく示されている）中にハウジングロック２０２の上部から装填される。したがって、ヘッダコネクタ１０４は、下向きの方向に上から装填される。
【００２６】
図８は、信号ヘッダカートリッジ１３２（図９に示す）のためのリードフレーム３００を示す。図９は、信号ヘッダカートリッジ１３２の側面図である。信号ヘッダカートリッジ１３２は、リードフレーム３００を保持する誘電体フレーム３０２を含む。リードフレーム３００は、複数のヘッダ信号コンタクト１４２を含み、複数のヘッダ信号コンタクト１４２は、最初は、キャリアセグメント３０４によって保持され、キャリアセグメント３０４は、後で、ヘッダ信号コンタクト１４２を電気的に分離するために取り外される。任意選択で、ヘッダ信号コンタクト１４２に電気的シールドを行うために、接地シールド（図示せず）を誘電体フレーム３０２の一方の側または両方の側に結合させることができる。
【００２７】
ヘッダ信号コンタクト１４２は、嵌合部分３０６と装着部分３０８とを有し、移行部分３１０が、嵌合部分３０６と装着部分３０８との間を延びる。移行部分３１０は、誘電体フレーム３０２中に入れられるか、誘電体フレーム３０２に装填されるか、または他の方法で誘電体フレーム３０２によって囲まれるヘッダ信号コンタクト１４２の一部分である。嵌合部分３０６および装着部分３０８は、誘電体フレーム３０２から延びる。例示的な実施形態では、ヘッダ信号コンタクト１４２は直角コンタクトである。直角コンタクトは、互いに対して一般に垂直に方向づけられた嵌合部分３０６と装着部分３０８とを有する。嵌合部分３０６は、誘電体フレーム３０２の嵌合縁部３１２から前方に延び、分離可能な嵌合インタフェースを定める。装着部分３０８は、誘電体フレーム３０２の装着縁部３１４から延びる。
図示の実施形態では、嵌合縁部３１２は、誘電体フレーム３０２の前縁部（以下、前縁部３１２と呼ぶことがある）を画定し、一方、装着縁部３１４は、誘電体フレーム３０２の底縁部（以下、底縁部３１４と呼ぶことがある）を画定する。嵌合縁部３１２および装着縁部３１４は、互いに対して一般に垂直に方向づけることができる。装着部分３０８は、回路基板１０８（図１に示した）の対応するめっき済みビアにプレス嵌めされるように構成された底縁部３１４から延びるコンプライアントピン（以下、コンプライアントピン３０８と呼ぶことがある）とすることができる。代替の実施形態では、装着部分は、ワイヤまたはケーブルを装着部分にはんだ付けするか、かしめるか、または他の方法で終端させることなどによってワイヤまたはケーブルに終端させることができる。
【００２８】
誘電体フレーム３０２は、嵌合縁部３１２の反対側の後縁部３１６と、装着縁部３１４の反対側の上縁部３１８とを含む。例示的な実施形態では、誘電体フレーム３０２は、一般に、縁部３１２、３１４、３１６、３１８によって仕切られた長方形構造を画定する。縁部３１２、３１４、３１６、３１８は、バンプアウト、ノッチアウト、突出部（ｐｒｏｔｒｕｓｉｏｎ）、タブ、ラグ、突起部（ｐｒｏｊｅｃｔｉｏｎ）、または非平坦縁部を作り出す他のフィーチャを含むことができるが、しかしながら、全体的な構造は一般に長方形とすることができる。代替の実施形態では、他の形状が可能である。嵌合縁部３１２および装着縁部３１４は、一般に、角などの交差区域で出会い、そこから放射状に外に延びる。ヘッダ信号コンタクト１４２は、角から外側に積み重ねられる。例示的な実施形態では、誘電体フレーム３０２は、嵌合縁部３１２と装着縁部３１４との交差区域の角にまたは交差区域の近くの角にポケット３２０を含む。ポケット３２０は受止面３２２を含む。例示的な実施形態では、ポケット３２０は、カートリッジラッチ２００（図５に示した）を受け取り、ヘッダカートリッジ１３２をヘッダハウジング１３０にロックする。
【００２９】
誘電体フレーム３０２はヘッダ信号コンタクト１４２を保持する。例示的な実施形態では、誘電体フレーム３０２は、オーバーモールドプロセスを使用して製造される。オーバーモールドプロセス中に、リードフレーム３００は誘電体材料に入れられ、それにより、誘電体フレーム３０２が形成される。オーバーモールドに先立って、リードフレーム３００は、キャリアストリップ（図示せず）で安定化させることができ、キャリアストリップは、誘電体フレーム３０２を作り出すオーバーモールドプロセスの後、キャリアセグメント３０４とともに取り外され廃棄される。誘電体フレーム３０２は、代替の実施形態では、他のプロセスで製造することができる。リードフレーム３００は、代替の実施形態では、オーバーモールドされるのではなく誘電体フレーム３０２の側面を通して誘電体フレーム３０２中に装填することができる。
【００３０】
リードフレーム３００は、任意の数のヘッダ信号コンタクト１４２を含むことができる。任意選択で、すべてを信号コンタクトとするのではなく、ヘッダコンタクトは、接地コンタクト、電力コンタクト、感知コンタクト、または他のタイプのコンタクトとすることができる。任意選択で、隣接する信号コンタクト１４２は差動対として機能することができ、各差動対は接地コンタクトによって分離することができる。任意選択で、コンタクトの間の間隔または間隙を制御する、目標インピーダンスを達成する、コンタクトの通電容量を上げるなどのために、コンタクトは、その長さの全体または長さの一部分に沿って異なる幅を有することができる。
【００３１】
図１０は、一緒に積み重ねられた１対の信号ヘッダカートリッジ１３２を示す。図１１は、１対の信号ヘッダカートリッジ１３２の正面図である。任意の数の信号ヘッダカートリッジ１３２を一緒に積み重ね、ヘッダハウジング１３０（図２に示した）に装填することができる。信号ヘッダカートリッジ１３２は横並びで配列される。任意選択で、信号ヘッダカートリッジ１３２は互いに直接係合することができる。信号ヘッダカートリッジ１３２は、一方の側面または両方の側面から延びるリブ３３０を含むことができる。リブ３３０は、隣接する信号ヘッダカートリッジ１３２の対応するスロット３３２に受容されることができる。リブ３３０は、締り嵌めによってスロットに保持させることができる。リブ３３０を使用して、信号ヘッダカートリッジ１３２を一緒に固定することができる。
【００３２】
例示的な実施形態では、誘電体フレーム３０２は、誘電体フレーム３０２の上縁部３１８に沿ってレール３３４を含む。レール３３４は、信号ヘッダカートリッジ１３２を互いに対しておよびヘッダハウジング１３０（図３に示した）に対して位置決めするために、対応するガイドチャネル１６２（図３に示した）に受容される。レール３３４はダブテール形状を有することができる。
【００３３】
図１２は、電力ヘッダカートリッジ１３４（図１３に示す）のためのリードフレーム４００を示す。図１３は、電力ヘッダカートリッジ１３４の斜視図である。リードフレーム４００は、リードフレーム３００（図８に示した）と同様とすることができ、電力ヘッダカートリッジ１３４は、信号ヘッダカートリッジ１３２（図９に示した）と同様とすることができる。
【００３４】
電力ヘッダカートリッジ１３４は、リードフレーム４００を保持する誘電体フレーム４０２を含む。リードフレーム４００は、複数のヘッダ電力コンタクト１４４を含み、複数のヘッダ電力コンタクト１４４は、キャリアセグメント４０４によって合わせて保持される。キャリアセグメント４０４は、特定用途に応じて取り外される場合もあり取り外されない場合もある。
【００３５】
ヘッダ電力コンタクト１４４は、嵌合部分４０６と装着部分４０８とを有し、移行部分４１０が、嵌合部分４０６と装着部分４０８との間を延びる。移行部分４１０は、誘電体フレーム４０２中に入れられるか、誘電体フレーム４０２に装填されるか、または他の方法で誘電体フレーム４０２によって囲まれるヘッダ電力コンタクト１４４の一部分である。嵌合部分４０６および装着部分４０８は、誘電体フレーム４０２から延びる。例示的な実施形態では、ヘッダ電力コンタクト１４４は直角コンタクトである。直角コンタクトは、互いに対して一般に垂直に方向づけられた嵌合部分４０６と装着部分４０８とを有する。嵌合部分４０６は、誘電体フレーム４０２の嵌合縁部４１２から前方に延び、分離可能な嵌合インタフェースを定める。
装着部分４０８は、誘電体フレーム４０２の装着縁部４１４から延びる。図示の実施形態では、嵌合縁部４１２は、誘電体フレーム４０２の前縁部（以下、前縁部４１２と呼ぶことがある）を画定し、一方、装着縁部４１４は、誘電体フレーム４０２の底縁部（以下、底縁部４１４と呼ぶことがある）を画定する。嵌合縁部４１２および装着縁部４１４は、互いに対して一般に垂直に方向づけられることができる。誘電体フレーム４０２は、嵌合縁部４１２の反対側の後縁部４１６と、装着縁部４１４の反対側の上縁部４１８とを含む。装着部分４０８は、回路基板１０８（図１に示した）の対応するめっき済みビアにプレス嵌めされるように構成された底縁部４１４から延びるコンプライアントピン（以下、コンプライアントピン４０８と呼ぶことがある）とすることができる。代替の実施形態では、装着部分は、ワイヤまたはケーブルを装着部分にはんだ付けするか、かしめるか、または他の方法で終端させることなどによってワイヤまたはケーブルに終端させることができる。
【００３６】
嵌合縁部４１２および装着縁部４１４は、一般に、角などの交差区域で出会い、そこから放射状に外に延びる。ヘッダ電力コンタクト１４４は、角から外側に積み重ねられる。例示的な実施形態では、誘電体フレーム４０２は、嵌合縁部４１２と装着縁部４１４との交差区域の角にまたは交差区域の近くの角にポケット４２０を含む。ポケット４２０は受止面４２２を含む。例示的な実施形態では、ポケット４２０は、カートリッジラッチ２００（図５に示した）を受け取り、ヘッダカートリッジ１３４をヘッダハウジング１３０（図５に示した）に位置決めするおよび／またはロックする。
【００３７】
例示的な実施形態では、誘電体フレーム４０２は、誘電体フレーム４０２の上縁部４１８に沿ってレール４３４を含む。レール４３４は、信号ヘッダカートリッジ１３２を互いに対しておよびヘッダハウジング１３０（図３に示した）に対して位置決めするために、対応するガイドチャネル１６２（図４に示した）に受容される。レール４３４はダブテール形状を有することができる。
【００３８】
リードフレーム４００は、任意の数のヘッダ電力コンタクト１４４を含むことができる。ヘッダ電力コンタクト１４４は、すべて等しい幅を有することができ、または代替として異なる幅を有することができる。ヘッダ電力コンタクト１４４の幅は、そのようなヘッダ電力コンタクト１４４の通電容量を制御することができる。例えば、ヘッダ電力コンタクト１４４の幅が広いほど、幅の狭いヘッダ電力コンタクト１４４と比較して、通電容量を高くすることができる。例示的な実施形態では、異なるタイプの電力ヘッダカートリッジ１３４は、ヘッダ電力コンタクト１４４の累積的な通電容量に基づいて格付けして製造することができる。
【００３９】
図１４は、例示的な実施形態により形成された電力ヘッダカートリッジ１３４’を示す。図１５は、例示的な実施形態により形成された電力ヘッダカートリッジ１３４”を示す。図１３に戻ってさらに参照すると、電力ヘッダカートリッジ１３４、１３４’、１３４”のグループが示される。
【００４０】
電力ヘッダカートリッジ１３４、１３４’、１３４”の各々は、異なる通電容量を有する。例えば、それぞれ他の電力ヘッダカートリッジと比較して、電力ヘッダカートリッジ１３４’（図１４）は高い通電容量を有することができ、電力ヘッダカートリッジ１３４（図１３）は中間の通電容量を有することができ、電力ヘッダカートリッジ１３４（図１５）は低い通電容量を有することができる。例えば、電力ヘッダカートリッジ１３４、１３４’、１３４”は、広いヘッダ電力コンタクト１４４’と狭いヘッダ電力コンタクト１４４”との異なる組合せを有することができる。
【００４１】
図示の実施形態において、高電流電力ヘッダカートリッジ１３４’（図１４）は、３つの広いヘッダ電力コンタクト１４４’を含み、狭いヘッダ電力コンタクト１４４”を含まない。中間電流電力ヘッダカートリッジ１３４（図１３）は、２つの広いヘッダ電力コンタクト１４４’と２つの狭いヘッダ電力コンタクトを１４４”とを含む。低電流電力ヘッダカートリッジ１３４”（図１５）は、広いヘッダ電力コンタクト１４４’を含まず、６つの狭いヘッダ電力コンタクトを１４４”を含む。他の実施形態では、広いおよび狭いヘッダ電力コンタクト１４４の他の組合せを使用することができる。他の実施形態では、図１３〜図１５に示した２つの幅以外の幅を有するヘッダ電力コンタクト１４４を使用することができる。
【００４２】
電力ヘッダカートリッジ１３４、１３４’、１３４”の各々は、同一の、または実質的に同様の誘電体フレーム４０２を有する。例えば、縁部はすべて同じサイズおよび形状にし、その結果、電力ヘッダカートリッジ１３４、１３４’、１３４”のいずれも電力カートリッジスロット１６０（図３に示した）に交互にまたは選択的に装填することができる。図３を参照すると、電力ヘッダカートリッジ１３４、１３４’、１３４”のいずれも電力カートリッジスロット１６０に装填できることは明らかである。したがって、ヘッダコネクタ１０４の通電容量は、任意の電力ヘッダカートリッジ１３４、１３４’、１３４”を異なるタイプの電力ヘッダカートリッジ１３４、１３４’、１３４”と取り替えることによって変更することができる。
例えば、電力カートリッジスロット１６０は、ヘッダアセンブリ１０４の通電容量を変更するために、低電力ヘッダカートリッジ１３４”、中間電力ヘッダカートリッジ１３４、または高電力ヘッダカートリッジ１３４”のいずれかを選択的に受け取る。図４を参照すると、細長い電力コンタクト開口１８４は、ヘッダ電力コンタクト１４４の任意の組合せを受け取ることができる。例えば、図示の実施形態では、ヘッダコネクタ１０４は、低電流電力ヘッダカートリッジ１３４”（図１５）を保持しており、６つの狭いヘッダ電力コンタクト１４４を含んでいる。しかしながら、中間電流電力ヘッダカートリッジ１３４または高電流電力ヘッダカートリッジ１３４’（それぞれ図１３、図１４）が、ヘッダハウジング１３０に装填される場合、細長い電力コンタクト開口１８４は、それらのサイズまたは位置に関係なく、広いヘッダ電力コンタクト１４４を収容する。
【００４３】
図１６は、ヘッダコネクタ１０４と同様のヘッダコネクタ５０４を示す。ヘッダコネクタ５０４は、ヘッダコネクタ１０４以外の異なるタイプのヘッダカートリッジ５０６を含む。ヘッダコネクタ５０４は、ヘッダコンタクト５０８のアレイを含む。ヘッダコネクタ５０４は、ヘッダコンタクト５０８の嵌合端部５１２を支持するシュラウドガイド５１０と、ヘッダコンタクト５０８の装着端部５１６を支持するピンガイド５１４とを含む。シュラウドガイド５１０およびピンガイド５１４は、信号ヘッダコンタクトおよび電力ヘッダコンタクトの両方を保持することができる。シュラウドガイド５１０およびピンガイド５１４は、ヘッダコンタクト５０８とともに、ヘッダカートリッジ５０６を定める。ヘッダカートリッジ５０６は、レセプタクルコネクタ５２２と嵌合するためにヘッダハウジング５２０中に装填することができる。任意選択で、ハウジングロックを使用して、多数のヘッダハウジング５２０を一緒に接合することができる。
【００４４】
上述の説明は、限定ではなく例示であることを意図していることを理解されたい。例えば、上述の実施形態（および／またはその態様）は互いに組み合わせて使用することができる。加えて、本発明の範囲から逸脱することなく、本発明の教示に特定の状況または材料を適応させるために、多くの変形を行うことができる。本明細書で説明した、寸法、材料のタイプ、様々な構成要素の方位、ならびに様々な構成要素の数および位置は、いくつかの実施形態のパラメータを規定することが意図されており、決して限定でなく、単に例示的な実施形態である。特許請求の範囲の趣旨および範囲内の多くの他の実施形態および変形が、上述の説明を調査する際に当業者には明らかになるであろう。それゆえに、本発明の範囲は、添付の特許請求の範囲を参照して、そのような特許請求の範囲が権利を与えられる均等物の全範囲とともに決定されるべきである。
【図１】
0006546597.tif 000002
【図２】
0006546597.tif 000003
【図３】
0006546597.tif 000004
【図４】
0006546597.tif 000005
【図５】
0006546597.tif 000006
【図６】
0006546597.tif 000007
【図７】
0006546597.tif 000008
【図８】
0006546597.tif 000009
【図９】
0006546597.tif 000010
【図１０】
0006546597.tif 000011
【図１１】
0006546597.tif 000012
【図１２】
0006546597.tif 000013
【図１３】
0006546597.tif 000014
【図１４】
0006546597.tif 000015
【図１５】
0006546597.tif 000016
【図１６】
0006546597.tif 000017